(57)【要約】  本発明は、溶着部材の溶着面の外縁の一点に局所的な大きな応力が作用するのを回避して、溶着面に作用する応力を効果的に分散させることにより、耐久性に優れた燃料タンクを提供する。  燃料タンク本体（１）の内部に溶着される溶着部材（１０Ａ，１０Ｂ）を備える燃料タンク（Ｔ）であって、溶着部材（１０Ａ，１０Ｂ）は、燃料タンク本体（１）の第一タンク面（１ａ）および第二タンク面（１ｂ）の少なくとも一方に溶着される溶着面（１１Ａ）を備えており、溶着面（１１Ａ）は、燃料タンク本体（１）に内圧が作用した際に、第一タンク面（１ａ）と第二タンク面（１ｂ）との離間変位に基づいて決定される所定位置（Ｐ）に対向する凹状の第一対向辺（１１ａ）を備える。
2016167018.tif 000002
【特許請求の範囲】
【請求項１】
燃料タンク本体の内部に溶着される溶着部材を備える燃料タンクであって、  前記溶着部材は、前記燃料タンク本体の第一タンク面及びこれに対向する第二タンク面の少なくとも一方に溶着される溶着面を備えており、  前記溶着面は、  前記燃料タンク本体に内圧が作用した際に、前記第一タンク面と前記第二タンク面との離間変位に基づいて決定される所定位置に対向する凹状の対向辺を備えていることを特徴とする燃料タンク。
【請求項２】
燃料タンク本体の内部に溶着される溶着部材を備える燃料タンクであって、  前記溶着部材は、前記燃料タンク本体の第一タンク面及びこれに対向する第二タンク面の少なくとも一方に溶着される溶着面を備えており、  前記溶着面は、前記燃料タンク本体に内圧が作用した際に、前記第一タンク面と前記第二タンク面との離間変位に基づいて決定される所定位置に対向する直線状の対向辺を備えていることを特徴とする燃料タンク。
【請求項３】
前記溶着部材は、  底部と、  前記底部に連続する筒状の胴部と、  前記胴部の端部から側方に張り出す環状のフランジ部と、を備え、  前記底部は前記第一タンク面および前記第二タンク面のいずれか一方に溶着される前記溶着面を備えるとともに、前記フランジ部は前記第一タンク面および前記第二タンク面のいずれか他方に溶着される前記溶着面を備えることを特徴とする請求項１または請求項２に記載の燃料タンク。
【請求項４】
前記底部の溶着面積と前記フランジ部の溶着面積とは、略同一であることを特徴とする請求項３に記載の燃料タンク。
【請求項５】
前記胴部には、前記胴部の内外を連通する連通孔が形成されていることを特徴とする請求項３に記載の燃料タンク。
【請求項６】
溶着前の前記溶着面に、前記溶着面から突出するリブが形成されていることを特徴とする請求項１または請求項２に記載の燃料タンク。
【請求項７】
複数の前記リブは、前記溶着面の中心から外側に向けて並設されており、前記リブのうち、最外部に位置する前記リブの高さは、その内側に位置する前記リブの高さよりも低くなっていることを特徴とする請求項６に記載の燃料タンク。
【発明の詳細な説明】
【技術分野】
【０００１】  本発明は、燃料タンクに関する。
【背景技術】
【０００２】  例えば、特許文献１には、燃料タンク本体と、柱状部材とを備えた燃料タンクが開示されている。当該柱状部材の両端は、燃料タンク本体の対向する内面に溶着により固定されている。柱状部材は、例えば、断面円筒状又は楕円形状のものが知られている。燃料タンク本体に溶着される部材は、柱状部材以外にも、例えば、波消し板、ブラケット等が挙げられる。燃料タンク本体の内面に溶着される部材を以下、「溶着部材」と言う。
【先行技術文献】
【特許文献】
【０００３】
【特許文献１】米国特許第７４５５１９０号明細書
【発明の概要】
【発明が解決しようとする課題】
【０００４】  燃料タンクは、外気温の変化や排気系統の熱による温度変化によって膨張又は収縮する。特に、樹脂製の燃料タンクの場合、このような外的要因の影響を受けやすい。燃料タンクが変形すると、溶着部材と燃料タンクとの溶着面に応力が作用する。例えば、特許文献１の柱状部材の場合、溶着面はリング状を呈するため、燃料タンクが変形すると溶着面の外縁の一点に局所的に大きな応力が作用するおそれがある。【０００５】  本発明は、このような課題を解決するために創作されたものであり、溶着部材に作用する応力を効果的に分散させることができ、耐久性に優れた燃料タンクを提供することを課題とする。
【課題を解決するための手段】
【０００６】  前記課題を解決するため、本発明は、燃料タンク本体の内部に溶着される溶着部材を備える燃料タンクであって、前記溶着部材は、前記燃料タンク本体の第一タンク面及びこれに対向する第二タンク面の少なくとも一方に溶着される溶着面を備えており、前記溶着面は、前記燃料タンク本体に内圧が作用した際に、前記第一タンク面と前記第二タンク面との離間変位に基づいて決定される所定位置に対向する凹状の対向辺を備えていることを特徴とする。【０００７】  ここで、「所定位置」とは、膨張又は収縮に伴って対向する第一タンク面と第二タンク面との離間距離が変化する位置を言う。本発明によれば、所定位置に対向するように、凹状の対向辺を設けるようにしたため、溶着面に作用する応力が分散される。これにより、溶着面の外縁の一点に局所的な大きな応力が作用するのを回避できるため、耐久性に優れた燃料タンクが得られる。【０００８】  また、本発明は、燃料タンク本体の内部に溶着される溶着部材を備える燃料タンクであって、前記溶着部材は、前記燃料タンク本体の第一タンク面及びこれに対向する第二タンク面の少なくとも一方に溶着される溶着面を備えており、前記溶着面は、前記燃料タンク本体に内圧が作用した際に、前記第一タンク面と前記第二タンク面との離間変位に基づいて決定される所定位置に対向する直線状の対向辺を備えていることを特徴とする。【０００９】  かかる構成によれば、所定位置に対向するように直線状の対向辺を設けたため、溶着面に作用する応力が分散される。これにより、溶着面の外縁の一点に局所的な応力が作用するのを回避できるため、耐久性に優れた燃料タンクが得られる。【００１０】  また、前記溶着部材は、底部と、前記底部に連続する筒状の胴部と、前記胴部の端部から側方に張り出す環状のフランジ部と、を備え、前記底部は前記第一タンク面および前記第二タンク面のいずれか一方に溶着される前記溶着面を備えるとともに、前記フランジ部は前記第一タンク面および前記第二タンク面のいずれか他方に溶着される前記溶着面を備えることが好ましい。【００１１】  かかる構成によれば、溶着部材の底部及びフランジ部が第一タンク面及び第二タンク面にそれぞれ溶着されるため、燃料タンクの強度を向上させることができる。【００１２】  また、前記底部の溶着面積と前記フランジ部の溶着面積とは、略同一であることが好ましい。かかる構成によれば、溶着部材をバランスよく固定することができる。【００１３】  また、前記胴部には、前記胴部の内外を連通する連通孔が形成されていることが好ましい。かかる構成によれば、溶着部材の内側空間を燃料の貯溜スペースとして利用できる。【００１４】  また、溶着前の前記溶着面に、前記溶着面から突出するリブが形成されていることが好ましい。かかる構成によれば、リブを有さない場合に比べて、溶着面積が増加するのでより高い溶着強度を得ることができる。【００１５】  また、複数の前記リブは、前記溶着面の中心から外側に向けてそれぞれ環状に形成されており、前記リブのうち、最外部に位置する前記リブの高さは、その内側に位置する前記リブの高さよりも低くなっていることが好ましい。【００１６】  例えば、燃料タンクに内圧が作用した場合��溶着面の外縁に大きな応力が作用する。そのため、溶着面の外縁を強固に溶着していると、溶着面の損傷に伴って燃料タンク本体の内面の損傷が大きくなるおそれがある。しかし、本発明のように、仮に、燃料タンクの内圧より溶着面が剥離しても、最外のリブ高さを低く設定することで、燃料タンク本体の内面の損傷を小さくすることができる。
【発明の効果】
【００１７】  本発明の燃料タンクによれば、溶着部材に作用する応力を効果的に分散させることができ、耐久性に優れる。
【図面の簡単な説明】
【００１８】
【図１】本発明の第１実施形態に係る燃料タンクを示し、燃料タンクを上方から透視した斜視図である。
【図２】同じく燃料タンクの内部を上方から透視した平面図である。
【図３】（ａ）は溶着部材の斜視図であり、（ｂ）は溶着部材の平面図であり、（ｃ）は燃料タンク本体と溶着部材との断面図である。
【図４】一方の溶着部材を示す図であり、（ａ）は上方から見た斜視図、（ｂ）は下方から見た斜視図である。
【図５】（ａ）（ｂ）は燃料タンクの変形時に溶着部材に作用する応力を模式的に示す図である。
【図６】（ａ）（ｂ）はブラケットの取付方法を示す説明図である。
【図７】本発明の第２実施形態に係る燃料タンクに備わる一方の溶着部材を示す図であって、（ａ）は上方から見た斜視図であり、（ｂ）は下方から見た斜視図である。
【図８】（ａ）は底部を示す拡大図、（ｂ）はフランジ部を示す拡大図である。
【図９】（ａ）は溶着面に設けられるリブを拡大して示した斜視図であり、（ｂ）は同じく断面図である。
【図１０】本発明の第３実施形態に係る燃料タンクに備わる溶着部材を示す図であって、（ａ）は上方から見た斜視図であり、（ｂ）は下方から見た斜視図である。
【発明を実施するための形態】
【００１９】  以下、本発明の実施形態を、図面を参照して説明する。なお、各実施形態の説明において、同一の部分には同一の符号を付し、詳細な説明は省略する。（第１実施形態）  図１，図２に示す燃料タンクＴは、自動車やバイク並びに船舶等の移動手段に搭載されるものであり、燃料タンク本体１と、燃料タンク本体１の内部に取り付けられるブラケット２と、を備えている。燃料タンク本体１の第一タンク面１ａには、ポンプ取付穴３が貫通して形成されている。ポンプ取付穴３には、燃料をタンク外へ汲み出すポンプ（図示せず）が取り付けられる。
【００２０】  燃料タンク本体１は、ガソリン等の燃料を貯溜する中空容器であり、例えば熱可塑性樹脂で形成されている。燃料タンク本体１は、例えばブロー成形等によって製造される。
【００２１】  ブラケット２は、燃料タンク本体１の製造時にその内部に取り付けられる部材であり、例えば熱可塑性樹脂で形成されている。ブラケット２は、一対の柱状の溶着部材１０Ａ，１０Ｂを備えている。溶着部材１０Ａ，１０Ｂ間には、波消し板２０が設けられている。一方の溶着部材１０Ａには、カットバルブ等（不図示）の内蔵部品を支持する受け部３０が設けられている。また、他方の溶着部材１０Ｂには、ブラケット２を燃料タンク本体１に溶着する際に使用される被支持部４０が設けられている。
【００２２】  一対の溶着部材１０Ａ，１０Ｂは、基本的な構造が同じであるので、以下では、一方の溶着部材１０Ａについて説明し、適宜、他方の溶着部材１０Ｂについて説明する。溶着部材１０Ａは、図２に示すように、一端側の中央部が他端側に向けて凹設された、平面視で略そら豆形状を呈している。溶着部材１０Ａは、図３（ａ）に示すように、底部１１と、底部１１に連続する胴部１２と、胴部１２に連続するフランジ部１３と、を備えている。なお、図３では、溶着部材１０Ａ，１０Ｂを単体で図示しており、溶着部材１０Ａに取り付けられる波消し板２０や受け部３０を省略している。
【００２３】  底部１１は、図３（ａ）（ｂ）に示すように、平らな溶着面１１Ａを備えている。溶着面１１Ａは、燃料タンク本体１の第一タンク面１ａ（図１参照）に溶着される部分である。溶着面１１Ａは、凹状の第一対向辺１１ａと、凹状の第一対向辺１１ａの延在方向両側に連続する凸状の第二対向辺１１ｂ，１１ｂと、凸状の第二対向辺１１ｂ，１１ｂ同士を繋ぐ連結辺１１ｃと、で囲われて形成されている。凹状の第一対向辺１１ａは、連結辺１１ｃ側に向けて湾曲状に窪んでいる。つまり、第一対向辺１１ａは、連結辺１１ｃ側に向けて突出している。一方、凹状の第一対向辺１１ａの周辺部分となる第二対向辺１１ｂ，１１ｂは、互いに離間する方向に突出している。連結辺１１ｃは、第一対向辺１１ａと同じ方向に湾曲状に形成されている。なお、凹状の第一対向辺１１ａは、特許請求の範囲における「凹状の対向辺」に相当する。
【００２４】  胴部１２は、図３（ａ）に示すように、溶着面１１Ａの前記各辺の湾曲形状に倣う湾曲した外形状を備えている。胴部１２の一側には、溶着面１１Ａの凹状の第一対向辺１１ａに倣う凹状面１２Ｃが形成されている。また、凹状面１２Ｃの両側には、溶着面１１Ａの凸状の第二対向辺１１ｂ，１１ｂに倣う凸状面１２Ｄ，１２Ｄが凹状面１２Ｃに連続して形成されている。また、胴部１２の他側には、溶着面１１Ａの連結辺１１ｃに倣う湾曲面１２Ｅが凸状面１２Ｄ，１２Ｄに連続して形成されている。
【００２５】  胴部１２は、底部１１からフランジ部１３に向けてスカート状に拡がるように外周面が幾分傾斜している。胴部１２の外周面には、周方向に間隔を置いて胴部１２の軸方向に延在する縦凸リブ１２ａおよび縦凹リブ１２ｂが形成されている。縦凸リブ１２ａの上端部には、連通孔１２ａ１が形成されている。また、縦凹リブ１２ｂの下端部には、連通孔１２ｂ１が形成されている。これらの連通孔１２ａ１，１２ｂ１を通じて、胴部１２の外側空間（燃料タンク本体１内の空間）と胴部１２の内側空間とが連通している。
【００２６】  フランジ部１３は、平らな環状の溶着面１３Ａを下面に備えている（図３（ｃ）、図４（ｂ）参照）。溶着面１３Ａは、燃料タンク本体１の第二タンク面１ｂ（図１参照）に溶着される部分である。フランジ部１３は、胴部１２の下端部に一体的に形成されており、環状の張出部１３ａと、立上部１３ｂと、を備えている。張出部１３ａは、胴部１２の下端部から外方へ略均一に延出しており、下面に溶着面１３Ａを形成している。張出部１３ａは、図３（ａ）、図４（ｂ）に示すように、胴部１２の凹状面１２Ｃに倣う凹状の第一対向辺１３ａ１と、胴部１２の凸状面１２Ｄ，１２Ｄに倣う凸状の第二対向辺１３ａ２，１３ａ２と、胴部１２の湾曲面１２Ｅに倣う連結辺１３ａ３とを備えている。立上部１３ｂは、図３（ｃ）に示すように、張出部１３ａに連続して上方へ延出している。なお、図示はしないが、張出部１３ａと胴部１２の外面との間に補強用の縦リブを形成してもよい。
【００２７】  本実施形態では、前記した底部１１における溶着面１１Ａの溶着面積と、フランジ部１３における溶着面１３Ａの溶着面積とが、略同じ面積となるように設定されている。
【００２８】  このような溶着部材１０Ａは、図３（ｃ）に示すように、燃料タンク本体１の第一タンク面１ａと第二タンク面１ｂとの間に溶着固定される。図３（ｃ）に示す例では、第一タンク面１ａに一段低く形成された段差部１ａ１に対して、底部１１の溶着面１１Ａが溶着固定されている。また、第二タンク面１ｂに一段高く形成された段差部１ｂ１に対して、フランジ部１３の溶着面１３Ａが溶着固定されている。つまり、燃料タンク本体１に補強形成された段差部１ａ１，１ｂ１に亘って溶着部材１０Ａが取り付けられている。
【００２９】  溶着部材１０Ａは、図２に示すように、凹状の第一対向辺１１ａ及び凸状の第二対向辺１１ｂ，１１ｂが燃料タンク本体１の所定位置Ｐに対向する位置関係となるように燃料タンク本体１に取り付けられる。凸状の第二対向辺１１ｂ，１１ｂは、凹状の第一対向辺１１ａに対し所定位置Ｐに向けて相対的に突出する状態に配置されることとなる。
【００３０】  図２の所定位置Ｐは、燃料タンクＴの膨張又は収縮に伴って対向する第一タンク面１ａと第二タンク面１ｂとの離間距離が変化する位置を言う。所定位置Ｐは、第一タンク面１ａと第二タンク面１ｂとの離間変位に基づいて適宜決定される。例えば、本実施形態では、離間変位が比較的大きくなる燃料タンク本体１の略中央部に所定位置Ｐを設定している。所定位置Ｐは、必ずしも離間変位が最大となる位置を言うものではない。
【００３１】  図５（ａ）（ｂ）は、溶着部材１０Ａが第一タンク面１ａ及び第二タンク面１ｂに溶着した状態で、溶着部材１０Ａに作用する応力分布を模式的に示す図である。図５（ａ）（ｂ）では、大きな応力が作用する部分をドット模様で表示している。溶着部材１０Ａは、前記したように、凹状の第一対向辺１１ａが所定位置Ｐに対向する位置関係で配置されており、凹状の第一対向辺１１ａの周辺部分となる凸状の第二対向辺１１ｂ，１１ｂが設けられているので、溶着面１１Ａにおいては、凸状の第二対向辺１１ｂ，１１ｂに沿って第一対向辺１１ａよりも大きな応力がそれぞれ作用することとなる。つまり、溶着面１１Ａでは、凹状の第一対向辺１１ａを挟んで凸状の第二対向辺１１ｂ，１１ｂに応力が分散される。
【００３２】  また、フランジ部１３の溶着面１３Ａにおいても、凸状の第二対向辺１３ａ２，１３ａ２に第一対向辺１３ａ１よりも大きな応力が作用することとなる。つまり、溶着面１３Ａでは、凹状の第一対向辺１３ａ１を挟んで、凸状の第二対向辺１３ａ２，１３ａ２に応力が分散される。
【００３３】  図２に示すように、他方の溶着部材１０Ｂは、凸状の第二対向辺１１ｂ，１１ｂが所定位置Ｐに対して相互に異なる位置関係（異なる距離）で配置されている。この場合にも、凸状の第二対向辺１１ｂ，１１ｂが凹状の第一対向辺１１ａの周辺部分となることに変わりはないので、溶着部材１０Ａと略同様に、溶着部材１０Ｂの溶着面１１Ａでは、凸状の第二対向辺１１ｂ，１１ｂに応力が分散されることとなる。また、溶着部材１０Ｂの溶着面１３Ａでは、凸状の第二対向辺１３ａ２，１３ａ２（図５（ａ）（ｂ）参照）に応力が分散される。
【００３４】  なお、他方の溶着部材１０Ｂは、平面視して斜め方向に所定位置Ｐが位置するように配置されている。つまり、所定位置Ｐと一対の第二対向辺１１ｂ，１１ｂとを結ぶ２本の仮想線の長さが異なるように配置されている。一方、一方の溶着部材１０Ａは、平面視して正面に所定位置Ｐが位置するように配置されている。つまり、所定位置Ｐと第二対向辺１１ｂ，１１ｂとを結ぶ２本の仮想線の長さが同一となるように配置されている。一方の溶着部材１０Ａのように、溶着部材１０Ｂを所定位置Ｐに対して正面に位置するように配置することで、バランス良く応力を分散させることができる。
【００３５】  図１，図２，図４（ａ）（ｂ）に示すように、溶着部材１０Ａは、波消し板２０の一端を支持している。また、溶着部材１０Ａには、受け部３０が取り付けられている。
【００３６】  波消し板２０は、図１，図２に示すように、板状の基部２１と、基部２１の両側縁部に取り付けられる板状の波消し部材２２，２２と、を備えている。波消し部材２２は、延在方向の両端部分が溶着部材１０Ａおよび溶着部材１０Ｂに向けてそれぞれ延出している。波消し部材２２の一端部は、溶着部材１０Ａの胴部１２の凸状面１２Ｄに固定されている。また、波消し部材２２の他端部は、溶着部材１０Ｂの胴部１２の凸状面１２Ｄに固定されている。波消し部材２２の固定は溶着や接着剤等によって行うことができる。
【００３７】  受け部３０は、脚部３１，３１と、脚部３１，３１の先端部に設けられた環状の支持部３２と、を備えている。脚部３１，３１の基端部は、溶着部材１０Ａの胴部１２の外面に固定されている。本実施形態では、図２に示すように、胴部１２の凸状面１２Ｄ，１２Ｄに亘って脚部３１，３１の基端部が取り付けられている。脚部３１，３１の固定は、溶着や接着剤等によって行うことができる。支持部３２には、燃料タンク本体１内に配置されるカットバルブ等（不図示）が支持される。  なお、溶着部材１０Ａには、図２に示すように、受け部３０が取り付けられる側と反対側となる胴部１２の湾曲面１２Ｅに、板状の波消し部材２５が取り付けられている。
【００３８】  被支持部４０は、燃料タンク本体１の製造時にブラケット２を組み付けるべく、後記する昇降装置５（図６参照）により支持される部分である。被支持部４０は、図１，図２に示すように、離間する一対の基部４１，４２と、一対の基部４１，４２同士を連結する複数の波消部４３と、溶着部材１０Ｂの胴部１２に連結される連結部４４と、を有している。
【００３９】  次に、図６（ａ）（ｂ）を主に参照して、製造装置によるブラケット２の取付方法について説明する。なお、取り付けに際しては、昇降装置５を使用する。以下の説明において言う方向は、昇降装置５の構造を説明する上で便宜上設定したものであり、昇降装置５の構造を特定するものではない。
【００４０】  図６（ａ）に示すように、昇降装置５は、支持棒５１と、台座５２と、クランプ機構５３と、を備えている。昇降装置５は、ブラケット２を着脱自在に支持するとともに昇降する装置である。支持棒５１は、上下方向に延びる棒状の部材である。支持棒５１は、スライド機構５４によって上下にスライド自在に支持されている。クランプ機構５３は、台座５２の上面にブラケット２を固定するための機構である。
【００４１】  本実施形態に係るブラケット２は、燃料タンク本体１をブロー成形する際に、その内部に取り付けられる。燃料タンク本体１の製造装置は、前記した昇降装置５の他に、一対の金型５５ａ，５５ｂと、一対のチャック部５６ａ，５６ｂと、一対の拡張ピン５７ａ，５７ｂと、を備えている。
【００４２】  金型５５ａ，５５ｂは、内外方向（型開閉方向）に沿って移動可能に構成されている。金型５５ａ，５５ｂの内面には、燃料タンク本体１を成形するための成形面５８ａ，５８ｂが窪んで形成されている。金型５５ａ，５５ｂの略中央部には、内外方向（型開閉方向）に沿って伸縮自在な接合シリンダ５９ａ，５９ａが設置されている。接合シリンダ５９ａ，５９ａは、左右一対で一組となっており、この例では上下方向に相互に離隔して二組設けられている。接合シリンダ５９ａ，５９ａは、相互に伸長することで、パリソン６を外側から押圧してパリソン６の内部にブラケット２を接合（溶着）させる機能を有している（図６（ｂ）参照）。
【００４３】  金型５５ａ，５５ｂの下端には、内外方向（型開閉方向）に沿って伸縮自在な一対のピンチ部５５ａ１，５５ｂ１が設置されている。ピンチ部５５ａ１，５５ｂ１は、相互に伸長することで、パリソン６の下端部を押圧して閉塞する機能を有している。
【００４４】  一方の金型５５ｂには、パリソン６の内部へ空気を吐出する第１ブローピン６１と、パリソン６の内部から外部へ空気を排出する第２ブローピン６２とが設置されている。第１ブローピン６１は、金型５５ｂの中央部において、進退自在に設けられている。第２ブローピン６２は、金型５５ｂの下隅部において、進退自在に設けられている。
【００４５】  チャック部５６ａ，５６ｂは、金型５５ａ，５５ｂの上方において、内外方向（型開閉方向）に沿って移動自在に設置されている。チャック部５６ａ，５６ｂは、円筒状またはシート状のパリソン６の上端部側を保持し、金型５５ａ，５５ｂ間にパリソン６を吊るす機能を有している。また、チャック部５６ａ，５６ｂは、相互に接近することで、パリソン６の上端部を押圧して閉塞する機能も有している。
【００４６】  拡張ピン５７ａ，５７ｂは、金型５５ａ，５５ｂの下方において、内外方向（型開閉方向）に沿って移動自在に設置されている。拡張ピン５７ａ，５７ｂは、相互に離間することで、パリソン６の下端部を拡開する機能を有している。
【００４７】  このような製造装置を使用するブラケット２の取付方法は、設置工程と、パリソン配置工程と、ブラケット配置工程と、接合工程と、取外工程と、ブロー工程と、を含んでいる。
【００４８】  設置工程は、ブラケット２を昇降装置５に設置する工程である。設置工程では、支持棒５１を所定長だけ上側にスライドさせ、ブラケット２を台座５２の上面に載せる。このとき、ブラケット２の被支持部４０をクランプ機構５３で把持し、ブラケット２を台座５２に固定する。
【００４９】  パリソン配置工程は、パリソン６を金型５５ａ，５５ｂ間に配置する工程である。パリソン配置工程では、チャック部５６ａ，５６ｂでパリソン６の上端部を保持しつつ金型５５ａ，５５ｂ間にパリソン６を吊るす。その後、吊るされたパリソン６の内側に位置する拡張ピン５７ａ，５７ｂを相互に離間させ、パリソン６の下端部を拡開して保持する。
【００５０】  ブラケット配置工程は、昇降装置５でブラケット２を上昇させて金型５５ａ，５５ｂの間の所定位置に配置する工程である。ブラケット配置工程では、支持棒５１を上側にスライドさせ、金型５５ａ，５５ｂの間、かつ、パリソン６の内側にブラケット２を下側から挿入する。
【００５１】  接合工程は、図６（ｂ）に示すように、パリソン６にブラケット２を接合する工程である。接合工程では、接合シリンダ５９ａ，５９ａを内方向（型閉方向）に伸長させ、パリソン６の外側からブラケット２を挟み込んで押圧する。このとき、接合シリンダ５９ａ，５９ａの先端同士の押圧により、パリソン６およびブラケット２の押圧部位が溶着される。これにより、パリソン６（燃料タンク本体１）の内部に溶着部材１０Ａ，１０Ｂを介してブラケット２が取り付けられる。
【００５２】  取外工程は、昇降装置５からブラケット２を取り外す工程である。取外工程では、ブラケット２の被支持部４０に対するクランプ機構５３の把持を解除し、支持棒５１を下側にスライドさせて、台座５２を退避させる。
【００５３】  ブロー工程は、金型５５ａ，５５ｂを型締めしてブロー成形を行う工程である。これにより、燃料タンクＴが形成される。なお、本実施形態では昇降装置５および接合シリンダ５９ａ，５９ａ等を用いてパリソン６の内側に溶着部材１０Ａ，１０Ｂを溶着したが、これに限定されるものではない。例えば、ロボットアームを用いてパリソン６の内側に溶着部材１０Ａ，１０Ｂを溶着してもよい。
【００５４】  以上説明した本実施形態によれば、溶着面１１Ａのうち、凹状の第一対向辺１１ａの周辺部分となる凸状の第二対向辺１１ｂ，１１ｂに応力が分散されるため、溶着面１１Ａの外縁の一点に局所的に大きな応力が作用するのを回避することができる。これにより、ブラケット２等の内蔵部品が燃料タンク本体１から剥離、落下するのを防ぎ、耐久性に優れた燃料タンクＴが得られる。
【００５５】  また、本実施形態では、溶着部材１０Ａ（１０Ｂ）を底部１１、胴部１２及びフランジ部１３で構成し、溶着部材１０Ａ（１０Ｂ）の底部１１を第一タンク面１ａに、フランジ部１３を第二タンク面１ｂにそれぞれ溶着されるため、燃料タンクＴの強度を向上させることができる。また、フランジ部１３に形成される溶着面１３Ａのうち所定位置Ｐに対向している凸状の第二対向辺１３ａ２，１３ａ２に応力が分散されるため、溶着面１３Ａの外縁の一点に局所的に大きな応力が作用するのを回避することができる。これにより、より耐久性に優れた燃料タンクＴが得られる。
【００５６】  また、底部１１の溶着面１１Ａの溶着面積と、フランジ部１３の溶着面１３Ａの溶着面積とが略同一であるので、底部１１とフランジ部１３とで溶着強度の差を小さくすることができ、第一タンク面１ａと第二タンク面１ｂとでバランス良く溶着することができる。
【００５７】  また、胴部１２には、胴部１２の内外を連通する連通孔１２ａ１，１２ｂ１が形成されているので、これらの連通孔１２ａ１，１２ｂ１を通じて胴部１２の内側に燃料を導入することができ、溶着部材１０Ａ，１０Ｂの内側空間を燃料の貯溜スペースとして好適に利用できる。したがって、溶着部材１０Ａ，１０Ｂが配置されることによる燃料タンク本体１の容積の減少を最小限に抑えることができ、燃料タンク本体１の容積を好適に確保することができる。
【００５８】（第２実施形態）  図７を参照して本発明の第２実施形態について説明する。本実施形態が前記第１実施形態と異なるところは、溶着前の溶着面１１Ａに環状のリブ１１Ｒを設けた点である。また、溶着前の溶着面１３Ａに環状のリブ１３Ｒを設けた点である。
【００５９】  図７（ａ）に示すように、底部１１の溶着面１１Ａには、複数のリブ１１Ｒが突設されている。リブ１１Ｒは、溶着面１１Ａの中心から外周縁部に向けて所定の間隔を空けて複数並設されている。各リブ１１Ｒは、略同じ形状からなり、外側に向かうにつれて大きくなるように形成されている。各リブ１１Ｒは、図８（ａ）に示すように、リブ１１Ｒに直交する方向に形成された２つの切欠溝１１ｍ，１１ｍによって、周方向に分割されている。また、溶着面１１Ａには、複数の長孔１１ｈが開口形成されている。各長孔１１ｈは、隣合うリブ１１Ｒ同士の間に位置している。各長孔１１ｈは、溶着時の空気抜き孔として機能する。
【００６０】  本実施形態では、図９（ａ）（ｂ）に示すように、複数のリブ１１Ｒのうち、最外部に位置するリブ１１Ｒ１の高さは、これよりも中央寄り（内側）に位置するリブ１１Ｒの高さよりも低くなっている。
【００６１】  一方、図７（ｂ）に示すように、フランジ部１３の溶着面１３Ａには、複数のリブ１３Ｒが突設されている。リブ１３Ｒは、溶着面１３Ａの内周縁部寄りに所定の間隔を空けて計３本並設されている。各リブ１３Ｒは、図８（ｂ）に示すように、リブ１３Ｒに直交する方向に形成された複数の切欠溝１３ｍによって周方向に複数分割されている。なお、溶着面１３Ａにおいても、最外部のリブ１３Ｒの高さを、これよりも内側に位置するリブ１３Ｒの高さよりも低なるように形成してもよい。
【００６２】  本実施形態によれば、リブ１１Ｒ，１３Ｒを有さない場合（第１実施形態）に比べて、溶着面積が増大するため、より高い溶着強度を得ることができる。
【００６３】  また、最外部に位置するリブ１１Ｒ１の高さは、その内側に位置するリブ１１Ｒの高さよりも低くしているので、溶着面１１Ａの外縁における樹脂の溶け出す量を、その内側に比べて少なくすることができる。つまり、溶着面１１Ａの外縁の強度をその内側に比べてあえて弱く形成している。このような構成にすることで、燃料タンクＴの内圧が作用して溶着面１１Ａが損傷しても、その損傷を溶着面１１Ａの外縁のみの剥離に留め、燃料タンク本体１の内面の損傷を小さくすることができる。また、切欠溝１１ｍ，１３ｍを設けることにより、溶着する際の樹脂の流動性を高めることができる。
【００６４】（第３実施形態）  図１０を参照して本発明の第３実施形態について説明する。本実施形態が前記第１，第２実施形態と異なるところは、溶着部材１０Ｃを平面視で略Ｄ字形状とした点である。
【００６５】  溶着部材１０Ｃの溶着面１１Ａは、図１０（ａ）（ｂ）に示すように、直線状の対向辺１１ｅと、直線状の対向辺１１ｅの両側部分に連続する略半円状の側辺１１ｆ，１１ｆと、側辺１１ｆ，１１ｆ同士を繋ぎ、直線状の対向辺１１ｅに対向する連結辺１１ｃと、で囲われて形成されている。
【００６６】  溶着部材１０Ｃは、直線状の対向辺１１ｅが燃料タンク本体１の所定位置Ｐ（図２参照）に対向する位置関係となるように燃料タンク本体１に取り付けられる。なお、好ましくは、直線状の対向辺１１ｅの一端を通る法線（不図示）と他端を通る法線（不図示）とで仕切られる領域内に所定位置Ｐが位置するように（対向するように）、所定位置Ｐと溶着部材１０Ｃとの位置関係を設定するとよい。
【００６７】  このような溶着部材１０Ｃでは、図１０（ａ）（ｂ）においてドット模様で表示するように、底部１１の溶着面１１Ａにおいて、所定位置Ｐに対向する位置関係とされた直線状の対向辺１１ｅに沿って応力が作用することとなる。つまり、直線状の対向辺１１ｅの略全体に応力が分散される。
【００６８】  また、フランジ部１３の溶着面１３Ａにおいても、直線状の対向辺１３ｅに沿って応力が作用することとなる。つまり、直線状の対向辺１３ｅの略全体に応力が分散される。
【００６９】  以上説明した本実施形態によれば、溶着した状態において、所定位置Ｐに対向している直線状の対向辺１１ｅに応力が分散されるため、溶着面１１Ａの外縁の一点に局所的な大きな応力が作用することがない。また、同様に、フランジ部１３の溶着面１３Ａにおける直線状の対向辺１３ｅにも応力が分散される。したがって、耐久性に優れた燃料タンクＴが得られる。
【００７０】  以上本発明の実施形態について説明したが、本発明は、上記した実施形態に限定されることはなく、例えば、以下のように種々変形することができる。  例えば、前記各実施形態では、第一タンク面１ａに溶着面１１Ａが溶着され、第二タンク面１ｂに溶着面１３Ａが溶着される構成としたが、上下を逆にして、第一タンク面１ａに溶着面１３Ａが溶着され、第二タンク面１ｂに溶着面１１Ａが溶着されるように構成してもよい。
【００７１】  また、前記溶着部材１０Ａ〜１０Ｃにおいて、第一タンク面１ａおよび第二タンク面１ｂの一方に溶着される面だけを、前記のような応力が分散される面に構成してもよい。
【００７２】  なお、前記第１，第２実施形態では、ブラケット２を、波消し板２０で溶着部材１０Ａ，１０Ｂを連結した構造としたが、これに限られることはなく、溶着部材１０Ａ，１０Ｂ単体で構成してもよい。
【００７３】  また、前記第一実施形態では、溶着部材１０Ａ，１０Ｂの両方を、所定位置Ｐに対向する位置関係で配置したが、これに限られることはなく、溶着部材１０Ａまたは溶着部材１０Ｂの一方だけを対向する位置関係で配置するようにしてもよい。
【００７４】  また、前記第１，第２実施形態では、凹状の第一対向辺１１ａを一つ形成したが、これに限られることはなく、複数形成してもよい。例えば、凹状の第一対向辺１１ａを二つ形成した場合には、各凹状の第一対向辺１１ａに隣接して凸状の第二対向辺１１ｂを少なくとも三つ形成することができ、応力をより好適に分散することができる。また、凹状の第一対向辺１１ａを三つ形成した場合には、各凹状の第一対向辺１１ａに隣接して凸状の第二対向辺１１ｂを少なくとも四つ形成することができ、応力をより一層好適に分散することができる。
【００７５】  また、本実施形態では、内臓部品としてブラケット２を例示したが、各種バルブ、波消し板、クリップ等他の内蔵部品を燃料タンク本体１の内面に溶着する際に、本発明を適用してもよい。この場合も、対向する第一タンク面１ａ及び第二タンク面１ｂの少なくとも一方に溶着する溶着面を備えるように構成すればよい。
【００７６】  また、底部１１の溶着面１１Ａの溶着面積と、フランジ部１３の溶着面１３Ａの溶着面積とが、略同じ面積となるように設定したが、これに限られることはなく、いずれか一方を他方に比べて大きな溶着面積となるように設定してもよい。
【符号の説明】
【００７７】  １      燃料タンク本体  １ａ    第一タンク面  １ｂ    第二タンク面  ２      ブラケット  １０Ａ  溶着部材  １０Ｂ  溶着部材  １０Ｃ  溶着部材  １１    底部  １１Ｒ１  リブ（最外部に位置するリブ）  １１Ａ  溶着面  １１Ｒ  リブ  １１ａ  第一対向辺（対向辺）  １１ｂ  第二対向辺  １１ｃ  連結辺  １１ｅ  直線状の対向辺  １２    胴部  １２ｂ１  連通孔  １２ａ１  連通孔  １３    フランジ部  １３ａ２  第二対向辺  １３Ａ  溶着面  １３Ｒ  リブ  １３ｅ  直線状の対向辺  Ｐ      所定位置  Ｔ      燃料タンク
【図１】
2016167018.tif 000003
【図２】
2016167018.tif 000004
【図３】
2016167018.tif 000005
【図４】
2016167018.tif 000006
【図５】
2016167018.tif 000007
【図６】
2016167018.tif 000008
【図７】
2016167018.tif 000009
【図８】
2016167018.tif 000010
【図９】
2016167018.tif 000011
【図１０】
2016167018.tif 000012
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
燃料タンク本体の内部に溶着される溶着部材を備える燃料タンクであって、
前記溶着部材は、前記燃料タンク本体の第一タンク面及びこれに対向する第二タンク面の少なくとも一方に溶着される溶着面を備えており、
前記溶着面は、
前記燃料タンク本体に内圧が作用した際に、前記第一タンク面と前記第二タンク面との離間変位に基づいて決定される所定位置に対向する凹状の第一対向辺と、
前記凹状の第一対向辺の延在方向両側に連続し、前記凹状の第一対向辺に対して前記所定位置に向けて相対的に突出する一対の凸状の第二対向辺と、
前記凹状の第一対向辺と同じ方向に湾曲され、前記一対の凸状の第二対向辺同士を繋ぐ連結辺と、
で囲われて形成されるそら豆形状を呈することを特徴とする燃料タンク。
【請求項２】
（削除）
【請求項３】
前記溶着部材は、
底部と、
前記底部に連続する筒状の胴部と、
前記胴部の端部から側方に張り出す環状のフランジ部と、を備え、
前記底部は前記第一タンク面および前記第二タンク面のいずれか一方に溶着される前記溶着面を備えるとともに、前記フランジ部は前記第一タンク面および前記第二タンク面のいずれか他方に溶着される前記溶着面を備えることを特徴とする請求項１に記載の燃料タンク。
【請求項４】
前記底部の溶着面積と前記フランジ部の溶着面積とは、略同一であることを特徴とする請求項３に記載の燃料タンク。
【請求項５】
前記胴部には、前記胴部の内外を連通する連通孔が形成されていることを特徴とする請求項３に記載の燃料タンク。
【請求項６】
溶着前の前記溶着面に、前記溶着面から突出するリブが形成されていることを特徴とする請求項１に記載の燃料タンク。
【請求項７】
複数の前記リブは、前記溶着面の中心から外側に向けて並設されており、前記リブのうち、最外部に位置する前記リブの高さは、その内側に位置する前記リブの高さよりも低くなっていることを特徴とする請求項６に記載の燃料タンク。
【手続補正２】
【補正対象書類名】明細書
【補正対象項目名】０００２
【補正方法】変更
【補正の内容】
【０００２】
溶着部材を備える燃料タンクであって、前記溶着部材は、前記燃料タンク本体の第一タンク面及びこれに対向する第二タンク面の少なくとも一方に溶着される溶着面を備えており、前記溶着面は、前記燃料タンク本体に内圧が作用した際に、前記第一タンク面と前記第二タンク面との離間変位に基づいて決定される所定位置に対向する凹状の第一対向辺と、前記凹状の第一対向辺の延在方向両側に連続し、前記凹状の第一対向辺に対して前記所定位置に向けて相対的に突出する一対の凸状の第二対向辺と、前記凹状の第一対向辺と同じ方向に湾曲され、前記一対の凸状の第二対向辺同士を繋ぐ連結辺と、で囲われて形成されるそら豆形状を呈することを特徴とする燃料タンク。
［０００７］
ここで、「所定位置」とは、膨張又は収縮に伴って対向する第一タンク面と第二タンク面との離間距離が変化する位置を言う。本発明によれば、所定位置に対向するように、凹状の対向辺を設けるようにしたため、溶着面に作用する応力が分散される。これにより、溶着面の外縁の一点に局所的な大きな応力が作用するのを回避できるため、耐久性に優れた燃料タンクが得られる。
［０００８］
［０００９］
［００１０］
また、前記溶着部材は、底部と、前記底部に連続する筒状の胴部と、前記胴部の端部から側方に張り出す環状のフランジ部と、を備え、前記底部は前記第一タンク面および前記第二タンク面のいずれか一方に溶着される前記溶着面を備えるとともに、前記フランジ部は前記第一タンク面および前記第二タンク面のいずれか他方に溶着される前記溶着面を備えることが好ましい。
［００１１］
かかる構成によれば、溶着部材の底部及びフランジ部が第一タンク面及び
【手続補正３】
【補正対象書類名】明細書
【補正対象項目名】０００４
【補正方法】変更
【補正の内容】
【０００４】
［図３］（ａ）は溶着部材の斜視図であり、（ｂ）は溶着部材の平面図であり、（ｃ）は燃料タンク本体と溶着部材との断面図である。
［図４］一方の溶着部材を示す図であり、（ａ）は上方から見た斜視図、（ｂ）は下方から見た斜視図である。
［図５］（ａ）（ｂ）は燃料タンクの変形時に溶着部材に作用する応力を模式的に示す図である。
［図６］（ａ）（ｂ）はブラケットの取付方法を示す説明図である。
［図７］本発明の第２実施形態に係る燃料タンクに備わる一方の溶着部材を示す図であって、（ａ）は上方から見た斜視図であり、（ｂ）は下方から見た斜視図である。
［図８］（ａ）は底部を示す拡大図、（ｂ）はフランジ部を示す拡大図である。
［図９］（ａ）は溶着面に設けられるリブを拡大して示した斜視図であり、（ｂ）は同じく断面図である。
［図１０］本発明の参考例に係る燃料タンクに備わる溶着部材を示す図であって、（ａ）は上方から見た斜視図であり、（ｂ）は下方から見た斜視図である。
発明を実施するための形態
［００１９］
以下、本発明の実施形態を、図面を参照して説明する。なお、各実施形態の説明において、同一の部分には同一の符号を付し、詳細な説明は省略する。
（第１実施形態）
図１，図２に示す燃料タンクＴは、自動車やバイク並びに船舶等の移動手段に搭載されるものであり、燃料タンク本体１と、燃料タンク本体１の内部に取り付けられるブラケット２と、を備えている。燃料タンク本体１の第一タンク面１ａには、ポンプ取付穴３が貫通して形成されている。ポンプ取付穴３には、燃料をタンク外へ汲み出すポンプ（図示せず）が取り付けられる。
［００２０］
燃料タンク本体１は、ガソリン等の燃料を貯溜する中空容器であり、例え
【手続補正４】
【補正対象書類名】明細書
【補正対象項目名】００１４
【補正方法】変更
【補正の内容】
【００１４】
、最外部のリブ１３Ｒの高さを、これよりも内側に位置するリブ１３Ｒの高さよりも低なるように形成してもよい。
［００６２］
本実施形態によれば、リブ１１Ｒ，１３Ｒを有さない場合（第１実施形態）に比べて、溶着面積が増大するため、より高い溶着強度を得ることができる。
［００６３］
また、最外部に位置するリブ１１Ｒ１の高さは、その内側に位置するリブ１１Ｒの高さよりも低くしているので、溶着面１１Ａの外縁における樹脂の溶け出す量を、その内側に比べて少なくすることができる。つまり、溶着面１１Ａの外縁の強度をその内側に比べてあえて弱く形成している。このような構成にすることで、燃料タンクＴの内圧が作用して溶着面１１Ａが損傷しても、その損傷を溶着面１１Ａの外縁のみの剥離に留め、燃料タンク本体１の内面の損傷を小さくすることができる。また、切欠溝１１ｍ，１３ｍを設けることにより、溶着する際の樹脂の流動性を高めることができる。
［００６４］
（参考例）
図１０を参照して本発明の参考例について説明する。本参考例が前記第１，第２実施形態と異なるところは、溶着部材１０Ｃを平面視で略Ｄ字形状とした点である。
［００６５］
溶着部材１０Ｃの溶着面１１Ａは、図１０（ａ）（ｂ）に示すように、直線状の対向辺１１ｅと、直線状の対向辺１１ｅの両側部分に連続する略半円状の側辺１１ｆ，１１ｆと、側辺１１ｆ，１１ｆ同士を繋ぎ、直線状の対向辺１１ｅに対向する連結辺１１ｃと、で囲われて形成されている。
［００６６］
溶着部材１０Ｃは、直線状の対向辺１１ｅが燃料タンク本体１の所定位置Ｐ（図２参照）に対向する位置関係となるように燃料タンク本体１に取り付けられる。なお、好ましくは、直線状の対向辺１１ｅの一端を通る法線（不図示）と他端を通る法線（不図示）とで仕切られる領域内に所定位置Ｐが位置するように（対向するように）、所定位置Ｐと溶着部材１０Ｃとの位置関係を設定するとよい。
［００６７］
このような溶着部材１０Ｃでは、図１０（ａ）（ｂ）においてドット模様
【手続補正５】
【補正対象書類名】明細書
【補正対象項目名】００１５
【補正方法】変更
【補正の内容】
【００１５】
で表示するように、底部１１の溶着面１１Ａにおいて、所定位置Ｐに対向する位置関係とされた直線状の対向辺１１ｅに沿って応力が作用することとなる。つまり、直線状の対向辺１１ｅの略全体に応力が分散される。
［００６８］
また、フランジ部１３の溶着面１３Ａにおいても、直線状の対向辺１３ｅに沿って応力が作用することとなる。つまり、直線状の対向辺１３ｅの略全体に応力が分散される。
［００６９］
以上説明した本参考例によれば、溶着した状態において、所定位置Ｐに対向している直線状の対向辺１１ｅに応力が分散されるため、溶着面１１Ａの外縁の一点に局所的な大きな応力が作用することがない。また、同様に、フランジ部１３の溶着面１３Ａにおける直線状の対向辺１３ｅにも応力が分散される。したがって、耐久性に優れた燃料タンクＴが得られる。
［００７０］
以上本発明の実施形態について説明したが、本発明は、上記した実施形態に限定されることはなく、例えば、以下のように種々変形することができる。
例えば、前記各実施形態では、第一タンク面１ａに溶着面１１Ａが溶着され、第二タンク面１ｂに溶着面１３Ａが溶着される構成としたが、上下を逆にして、第一タンク面１ａに溶着面１３Ａが溶着され、第二タンク面１ｂに溶着面１１Ａが溶着されるように構成してもよい。
［００７１］
また、前記溶着部材１０Ａ〜１０Ｃにおいて、第一タンク面１ａおよび第二タンク面１ｂの一方に溶着される面だけを、前記のような応力が分散される面に構成してもよい。
［００７２］
なお、前記第１，第２実施形態では、ブラケット２を、波消し板２０で溶着部材１０Ａ，１０Ｂを連結した構造としたが、これに限られることはなく、溶着部材１０Ａ，１０Ｂ単体で構成してもよい。
［００７３］
また、前記第一実施形態では、溶着部材１０Ａ，１０Ｂの両方を、所定位置Ｐに対向する位置関係で配置したが、これに限られることはなく、溶着部材１０Ａまたは溶着部材１０Ｂの一方だけを対向する位置関係で配置するようにしてもよい。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
燃料タンク本体の内部に溶着される溶着部材を備える燃料タンクであって、
前記溶着部材は、前記燃料タンク本体の第一タンク面及びこれに対向する第二タンク面の少なくとも一方に溶着される溶着面を備えており、
前記溶着面は、
前記燃料タンク本体に内圧が作用した際に、前記第一タンク面と前記第二タンク面との離間変位に基づいて決定される所定位置に対向する凹状の第一対向辺と、
前記凹状の第一対向辺の延在方向両側に連続し、前記凹状の第一対向辺に対して前記所定位置に向けて相対的に突出する一対の凸状の第二対向辺と、
前記凹状の第一対向辺と同じ方向に湾曲され、前記一対の凸状の第二対向辺同士を繋ぐ連結辺と、
で囲われて形成されるそら豆形状を呈することを特徴とする燃料タンク。
【請求項２】
前記溶着部材は、
底部と、
前記底部に連続する筒状の胴部と、
前記胴部の端部から側方に張り出す環状のフランジ部と、を備え、
前記底部は前記第一タンク面および前記第二タンク面のいずれか一方に溶着される前記溶着面を備えるとともに、前記フランジ部は前記第一タンク面および前記第二タンク面のいずれか他方に溶着される前記溶着面を備えることを特徴とする請求項１に記載の燃料タンク。
【請求項３】
前記底部の溶着面積と前記フランジ部の溶着面積とは、略同一であることを特徴とする請求項２に記載の燃料タンク。
【請求項４】
前記胴部には、前記胴部の内外を連通する連通孔が形成されていることを特徴とする請求項２に記載の燃料タンク。
【請求項５】
溶着前の前記溶着面に、前記溶着面から突出するリブが形成されていることを特徴とする請求項１に記載の燃料タンク。
【請求項６】
複数の前記リブは、前記溶着面の中心から外側に向けて並設されており、前記リブのうち、最外部に位置する前記リブの高さは、その内側に位置する前記リブの高さよりも低くなっていることを特徴とする請求項５に記載の燃料タンク。
【国際調査報告】
2016167018.tif 000013
2016167018.tif 000014
2016167018.tif 000015
2016167018.tif 000016